(57)【要約】【課題】自分撮り撮影を容易に行うことができる携帯電子機器を提供する。【解決手段】第１の筐体２と第２の筐体３とからなり、前記第１の筐体２と前記第２の筐体３とはヒンジ部５を介して開閉自在に連接され、閉状態における前記第１の筐体２の外面２ｅ側に撮影可能なカメラ３７が設けられ、閉状態における前記第２の筐体３の外面３ｅ側に各種情報を表示するハーフミラー表示装置３５が設けられた携帯電子機器１において、前記ハーフミラー表示装置３５は、発した光を前記第２の筐体３の外方に通過させる窓部材２７にハーフミラー層を有し、前記第１の筐体２と前記第２の筐体３とが開状態において、前記ハーフミラー層がカメラの光軸に指向して配置されている。また、第１の筐体２に開口部６６を設けた場合、楔型スイッチ６３を操作することにより、自分撮り撮影時にはカメラ３７の可動台座３９ａを突出さる。また、通常撮影時には可動台座３９ａを押下し、第１の筐体２の内部に前記カメラ３７を格納する。【選択図】図２
2008086005.tif 000002
【特許請求の範囲】
【請求項１】
第１の筐体と第２の筐体とからなり、前記第１の筐体と前記第２の筐体とは連結部を介
して開閉自在に連接され、閉状態における前記第１の筐体の外面側に撮影可能なカメラが
設けられ、閉状態における前記第２の筐体の外面側に各種情報を表示する表示装置が設け
られた携帯電子機器において、
前記表示装置は、発した光を前記第２の筐体の外方に通過させる窓部材にハーフミラー
層を有し、
前記第１の筐体と前記第２の筐体とが開状態において、前記ハーフミラー層がカメラの
光軸に指向して配置されていることを特徴とする携帯電子機器。
【請求項２】
前記カメラが、前記第１の筐体の外面から突設した凸形状の台座に設けられていること
を特徴とする請求項１に記載の携帯電子機器。
【請求項３】
前記第１の筐体に開口部を備え、前記凸形状の台座と前記開口部の上辺部に第２の連結部が設けられ、前記凸形状の台座がリトラクタブル式の可動台座で構成され、前記可動台座に前記カメラが設けられていることを特徴とする請求項１に記載の携帯電子機器。
【請求項４】
前記表示装置は、撮影時に撮影可能範囲を表示可能に構成されていることを特徴とする
請求項１から３のいずれか一項に記載の携帯電子機器。
【発明の詳細な説明】
【技術分野】
【０００１】
本発明は、携帯電子機器に関するものである。
【背景技術】
【０００２】
従来から、携帯電話機などの折り畳み型の携帯電子機器において、カメラ部とＬＣＤ表
示部をそれぞれ別の筐体に搭載したものが知られている。このような携帯電子機器におい
て、使用者自身が自分の写真や動画を撮る際には、カメラ部を自分の方向に向け、撮影を
した後にＬＣＤ表示部に表示される撮影画像を確認するというのが一般的であった（例え
ば、特許文献１参照）。
【特許文献１】特開２００２−１１１８３４号公報
【発明の開示】
【発明が解決しようとする課題】
【０００３】
ところで、上述の携帯電子機器で使用者自身の写真などを自分で撮影する際には、おお
よその位置で撮影を行い、その後ＬＣＤ表示部に表示される撮影画像を見て確認をしてい
たが、撮りたかった写真などを一度の撮影で得られることは少なく、何度かやり直してよ
うやく希望の写真や動画が得られるという現状がある。つまり、カメラに対して被写体（
使用者自身）を正しい位置に合わせることが難しく、自分撮り撮影をうまく行えないとい
う課題を有していた。
【０００４】
そこで、本発明は、上述の事情に鑑みてなされたものであり、自分撮り撮影を容易に行
うことができる携帯電子機器を提供するものである。
【課題を解決するための手段】
【０００５】
上記の課題を解決するために、請求項１に記載した発明は、第１の筐体と第２の筐体と
からなり、前記第１の筐体と前記第２の筐体とは連結部を介して開閉自在に連接され、閉
状態における前記第１の筐体の外面側に撮影可能なカメラが設けられ、閉状態における前
記第２の筐体の外面側に各種情報を表示する表示装置が設けられた携帯電子機器において
、前記表示装置は、発した光を前記第２の筐体の外方に通過させる窓部材にハーフミラー
層を有し、前記第１の筐体と前記第２の筐体とが開状態において、前記ハーフミラー層が
カメラの光軸に指向して配置されていることを特徴とする。
【０００６】
このように構成することで、表示装置が鏡の役割を果たすと共に、カメラに対して正対
した状態を表示装置に表示することができる。
【０００７】
請求項２に記載した発明は、前記カメラが、前記第１の筐体の外面から突設した凸形状
の台座に設けられていることを特徴とする。
【０００８】
このように構成することで、第１の筐体と第２の筐体とが開状態において、それぞれの
面が面一に構成されない場合においても、台座の形状を調節することで容易にカメラの光
軸に指向するように表示装置のハーフミラー層を配置することができる。また、凸形状に
台座を形成することで、カメラの位置を触手で容易に認識することができる。
【０００９】
請求項３に記載した発明は、前記第１の筐体に開口部を備え、前記凸形状の台座と前記開口部の上辺部に第２の連結部が設けられ、前記凸形状の台座がリトラクタブル式の可動台座で構成され、前記可動台座に前記カメラが設けられていることを特徴とする。
【００１０】
このように構成することで、前記可動台座が前記開口部から突出した第１の状態と、前記可動台座が前記開口部に格納された第２の状態とを有し、第１の状態では自分撮り撮影時にはカメラ３７の可動台座３９ａを突出させ、通常撮影時には前記可動台座３９ａを押下して前記カメラ３７を前記第１の筐体２の内部に格納することができる。
【００１１】
請求項４に記載した発明は、前記表示装置は、撮影時に撮影可能範囲を表示可能に構成
されていることを特徴とする。
【００１２】
このように構成することで、被写体が撮影可能範囲に容易に位置合わせをすることがで
きる。
【発明の効果】
【００１３】
請求項１に記載した発明によれば、表示装置が鏡の役割を果たすと共に、カメラに対し
て正対した状態を表示装置に表示することができるため、写真などの撮影を失敗すること
なく確実に撮影することができる。特に自分自身を撮影する際には、表示装置に写った自
分の状態を見て、カメラの位置を調節することができるため、自分撮り撮影を容易に行う
ことができる効果がある。
【００１４】
請求項２に記載した発明によれば、第１の筐体と第２の筐体とが開状態において、それ
ぞれの面が平行した面上に構成されない場合においても、台座の形状を調節することで容
易にカメラの光軸に指向するように表示装置のハーフミラー層を配置することができるた
め、カメラと表示装置とを確実に適正な位置関係に配することができる効果がある。
【００１５】
また、凸形状に台座を形成することで、カメラの位置を触手で容易に認識することがで
きるため、撮影の際に指でカメラを塞いでしまうことがなくなり、無駄な撮影をすること
がなくなるという効果がある。
【００１６】
請求項３に記載した発明によれば、カメラの台座がリトラクタブル式になっているので、自分撮りの撮影時のみ、凸形状の台座を突出させればよい。通常の撮影時や非撮影時には凸形状の台座が第１の筐体に格納される。従って、自分撮りの撮影時意外には、台座が突出していないので、携帯電子機器を保持がしやすくなるという効果がある。
【００１７】
請求項４に記載した発明によれば、被写体が撮影可能範囲に容易に位置合わせをするこ
とができるため、撮影を失敗することなく、より確実に撮影することができる。特に自分
自身を撮影する際には、表示装置に写った自分自身の位置と撮影可能範囲とを見て、カメ
ラの位置を調節することができるため、自分撮り撮影をより容易に、またより確実に行う
ことができる効果がある。
【発明を実施するための最良の形態】
【００１８】
次に、本発明の実施形態を図１〜図８に基づいて説明する。ここで説明する実施形態は
、本発明を携帯電話機に適用した場合のものである。
【００１９】
図１に示すように、携帯電話機（携帯電子機器）１は、第１の筐体２と、この第１の筐
体２の厚さ方向に重ね合わせ可能な第２の筐体３と、これら二つの筐体２，３を相互に折
り畳み自在に連結するヒンジ部５とを備えている。なお、ヒンジ部５は、二つの筐体２，
３の各端部２ａ，３ａ（以下、基端部２ａ，３ａと呼ぶ。）同士を連結するように配され
ている。また、本実施形態においては、第１の筐体２と第２の筐体３とが開状態において
、各筐体２，３は面一の関係になく、所定の角度（１８０°未満）を有している。
【００２０】
第１の筐体２の内面２ｃには、通話キー、終話キーなどの各種の押圧可能な複数の操作
キー６を備えたキー操作部７及び通話用のマイクロフォン部９が設けられている。キー操
作部７の各操作キー６は、二つの筐体２，３を相互に重ね合わせた状態において第２の筐
体３に対向する第１の筐体２の内面２ｃから外方に露出している。マイクロフォン部９は
、基端部２ａとは反対側に位置する第１の筐体２の先端部２ｂ側に配されており、第１の
筐体２の内面２ｃから第１の筐体２の内部空間に貫通する開口部２ｄを介して外方に露出
している。
【００２１】
また、第２の筐体３の内面３ｃには、文字、記号、図形などの各種情報を表示する表示
面１１ａを有する第１の表示部１１及び通話用のスピーカ部１５が設けられている。
【００２２】
第１の表示部１１は、ＬＣＤ（Ｌｉｑｕｉｄ  Ｃｒｙｓｔａｌ  Ｄｉｓｐｌａｙ）、有
機ＥＬ（Ｅｌｅｃｔｒｏ  Ｌｕｍｉｎｅｓｃｅｎｃｅ）ディスプレイ、無機ＥＬディスプ
レイなどにより構成されており、その表示面１１ａは、二つの筐体２，３を相互に重ね合
わせた状態において第１の筐体２に対向する第２の筐体３の内面３ｃから外方に露出して
いる。スピーカ部１５は、基端部３ａとは反対側に位置する第２の筐体３の先端部３ｂに
配されており、第２の筐体３の内面３ｃから第２の筐体３の内部空間に貫通する開口部３
ｄを介して外方に露出している。
【００２３】
次に、図２に示すように、第１の筐体２の側面２ｆには、押圧可能な複数の操作キー６
が設けられている。また、第１の筐体２の外面２ｅで基端部２ａ近傍には、カメラ３７が
設けられている。このカメラ３７によって写真や動画の撮影が可能に構成されている。カ
メラ３７は、第１の筐体２の外面２ｅから突設した台座３９上に設けられている。詳細な
説明は後述するが、台座３９の表面は、基端部２ａを基点として、外面２ｅに対して所定
角度、例えば１０〜１５°傾斜して形成されている。
【００２４】
また、第１の筐体２の外面２ｅの先端部２ｂ側には、バッテリー４１が収納された収納
部が設けられており、収納部を覆うように着脱可能な電池蓋４３が設けられている。更に
、カメラ３７と電池蓋４３との間にはスピーカ４５が設けられており、カメラ３７の側部
で基端部２ａ近傍にはアンテナ４７が設けられている。
【００２５】
次に、第２の筐体３の外面３ｅ側には、文字、記号、図形などの各種情報を表示する表
示面１３ａを有する第２の表示部１３が設けられている。
【００２６】
第２の表示部１３は、内面３ｃとは反対側に位置する第２の筐体３の外面３ｅから外方
に向けて、例えば白色光を発光するバックライトを備えた白黒ＬＣＤにより構成されてい
る。すなわち、第２の表示部１３の表示面１３ａは、二つの筐体２，３の開閉状態に関わ
らず、第２の筐体３の外面３ｅから外方に向けて配置されている。
【００２７】
また、本実施形態では、第２の表示部１３は撮影の際にカメラ３７の撮影可能範囲５１
を示すように枠形状を点灯可能に構成されている。
【００２８】
この第２の筐体３は、第２の筐体３の内面３ｃ側を構成するフロントケース１７、及び
第２の筐体３の外面３ｅ側を構成するリアケース１９を備えている。これらフロントケー
ス１７及びリアケース１９は、互いに第２の筐体３の厚さ方向に結合可能に構成されてい
る。
【００２９】
そして、図３に示すように、上記リアケース１９には、その外面３ｅから第２の筐体３
の厚さ方向に窪む収容凹部２３が形成されると共に、この収容凹部２３の底壁面２３ａか
ら第２の筐体３の内部空間に貫通する平面視略矩形の開口部２５が形成されている。なお
、前述した第２の表示部１３の表示面１３ａは、この開口部２５に対向して配置されてい
る。収容凹部２３には、略板状に形成された窓部材２７が収容されると共に、収容凹部２
３の底壁面２３ａに固定されており、この窓部材２７によってリアケース１９の開口部２
５が閉塞されることになる。
【００３０】
次に、図４に示すように、窓部材２７は、半透明に形成された略板状のスモーク材２９
と、収容凹部２３の底壁面２３ａに対向するスモーク材２９の下端面２９ｂに印刷されて
収容凹部２３の底壁面２３ａを目隠しする印刷層３１と、第２の筐体３の外面３ｅに連な
るスモーク材２９の上端面２９ａに順次積層されたハーフミラー層３３とを備えている。
【００３１】
すなわち、この窓部材２７は、第２の表示部１３の表示面１３ａにスモーク材２９を対向
させるように構成されている。ここで、スモーク材２９はアクリル製であり、ハーフミラ
ー層３３とスモーク材２９とはアルミ蒸着加工により接合されている。
【００３２】
印刷層３１は、収容凹部２３の底壁面２３ａがスモーク材２９を介して外方側から視認
されないように、光が透過しない材料により形成されており、例えば黒色に着色されてい
る。
【００３３】
スモーク材２９は、光を透過可能な材料により形成されており、後述する所定の色に着
色されている。すなわち、このスモーク材２９は、所定の色に着色することで、これに入
射された光の一部が拡散などによって吸収されるように構成されたものである。
【００３４】
スモーク材２９の色としては、黒色、緑色、赤色などが挙げられるが、第２の表示部１
３のバックライトが白色光であることを考慮すると黒色であることが好ましい。すなわち
、緑色や赤色などに着色されたスモーク材２９に白色光を入射した場合には、白色光によ
って第２の表示部１３の表示面１３ａに表示された各種情報が、スモーク材２９と同じ色
に着色された状態で視認されることになる。つまり、スモーク材２９の色と表示される各
種情報の色とのコントラストが低くなる。これに対して、黒色に着色したスモーク材２９
に白色光を入射した場合には、スモーク材２９の色と表示される各種情報の色とのコント
ラストが大きくなる。
【００３５】
なお、上記スモーク材２９における光の吸収量は、スモーク材２９に着色される色の濃
さやスモーク材２９の厚さ寸法に応じて変化する。すなわち、このスモーク材２９の色が
濃い程若しくはスモーク材２９の厚さ寸法が大きい程、光の吸収量は多くなる。
【００３６】
ハーフミラー層３３は、その表面に銀色、黒色、赤色などの所定の色で着色された着色
層を薄膜状に形成して構成されており、ハーフミラー層３３における光の反射率は、上述
した着色層の色に応じて変化する。すなわち、ハーフミラー層３３の反射率は、着色層の
色を銀色とした場合に最も高くなり、以下黒色、赤色の順番で低くなる。すなわち、例え
ば着色層の色を銀色とした場合には、黒色や赤色とした場合と比較して光の透過率が低く
なる。また、ハーフミラー層３３は、第２の表示部１３の形成領域内にカメラ３７の撮影
可能範囲を表示できるように構成されている。
【００３７】
以上のように構成された窓部材２７と、この窓部材２７にバックライトの光を入射する
第２の表示部１３及び第２の表示部１３を内部に設ける第２の筐体３により、ハーフミラ
ー表示装置３５が構成される。
【００３８】
したがって、ハーフミラー表示装置３５は、第２の表示部１３から情報が表示されてい
るときは情報表示部として機能し、第２の表示部１３から情報が流れていないとき、つま
り第２の表示部１３が点灯していないときには、内部が暗くなり、ハーフミラー層３３を
有した窓部材２７が鏡としての機能を果たすことになる。
【００３９】
次に、カメラ３７とハーフミラー表示装置３５との位置関係について図５を用いて詳細
に説明する。図５は、携帯電話機１の側面図であるが、説明の関係上、アンテナ４７など
は図示していない。
【００４０】
図５に示すように、台座３９の表面は、基端部２ａを基点として外面２ｅに対して所定
角度、例えば１０〜１５°傾斜して形成されている。カメラ３７は、台座３９の表面にカ
メラの撮像レンズが配されるように設置されている。したがって、カメラ３７の光軸Ａは
、第１の筐体２の外面２ｅに直交する方向に対し、第２の筐体３側、つまり上向きに所定
角度、例えば１０〜１５°傾斜して配置されている。
【００４１】
そして、カメラ３７の撮像レンズの表面を形成している面Ｂと第２の筐体３のハーフミ
ラー表示装置３５の表面を形成している面Ｃとが平行になるように構成されている。ここ
で、二つの面Ｂ，Ｃはそれぞれ紙面に対して垂直な方向に構成される面をいう。つまり、
ハーフミラー表示装置３５の表面に形成されているハーフミラー層３３が、カメラ３７の
光軸Ａに指向するように配置されている。
【００４２】
次に、本実施形態における携帯電話機１の作用について説明する。
【００４３】
携帯電話機１は、未使用時には、第１の筐体２と第２の筐体３とを折り畳んだ状態（閉
状態）にしておき、電話、メール、写真撮影などをする際には、第１の筐体２と第２の筐
体３とをヒンジ部５を介して開状態にして使用する。
【００４４】
ここで、カメラ３７を用いて写真撮影をする際の説明をする。
【００４５】
使用者が、風景や他人を撮影する際には、第１の表示部１１を自身の方向に向くように
し、被写体がカメラ３７の撮影可能範囲に入るように第１の表示部１１を見ながら位置合
わせを行い、ある特定の操作キー６を押下することで写真撮影を行う。
【００４６】
図６に示すように、使用者が、自分自身を撮影（自分撮り）する際には、ハーフミラー
表示装置３５及びカメラ３７が使用者自身の方向に向くようにする。このとき、ハーフミ
ラー表示装置３５には、使用者自身の姿が第２の表示部１３付近に鏡のように反射して表
示されるように位置を合わせる。また、第２の表示部１３には、撮影可能範囲５１が矩形
状に表示される。使用者は、撮影可能範囲５１内に自身の姿が入るように詳細の位置合わ
せを行い、内面２ｃ又は側面２ｆに配されたある特定の操作キー６を押下することで写真
撮影を行う。撮影可能範囲５１の表示は、写真撮影の際には常に表示させるようにしても
よいし、写真撮影の詳細設定メニューの中で撮影可能範囲５１を表示させるか否かを選択
できるようにしてもよい。
【００４７】
このとき、カメラ３７の撮像レンズの表面を形成する面Ｂとハーフミラー表示装置３５
の表面を形成する面Ｃとは、平行になるように構成されている。つまり、カメラ３７の光
軸Ａに指向してハーフミラー表示装置３５のハーフミラー層３３が配置されているため、
第２の表示部１３付近に写っている使用者自身の姿は、カメラ３７とも正対した位置関係
となり、第２の表示部１３に写っている使用者自身の姿と実際にカメラ３７で撮影される
写真とは略同一となる。
【００４８】
ここで、図７に示すように、カメラ３７の撮像レンズの表面を形成する面とハーフミラ
ー表示装置３５の表面を形成する面とが、同一の面Ｂ上に構成されていてもよい。このよ
うに構成することで、カメラ３７と使用者自身との距離とハーフミラー表示装置３５の表
面と使用者自身との距離とを略一致させることができるため、第２の表示部１３に写って
いる自身の姿と実際にカメラ３７で撮影される写真とをより近づかせることができる。
【００４９】
従来の携帯電話機１においては、携帯電話機１の使用時には、第１の表示部１１に表示
される電話帳を使用したり、第１の表示部１１を使用してメールの読み書きをするなど、
第１の表示部１１を主体的に使用することが多い。それに対して、第２の表示部１３は、
第１の筐体２と第２の筐体３とが折り畳まれた状態において、日付、時刻、電波状況、電
源状況など表示をしたり、電話が着信した際に相手方の電話番号などを表示したり、メー
ルが着信した際にその旨を表示したりなどするのみで、開状態のときには特に使用する用
途がなく、あくまで副次的な表示部として機能していた。
【００５０】
しかしながら、本実施形態によれば、使用者が自分撮りをする際に、第２の表示部１３
を含む領域にハーフミラー層３３を形成することで鏡としての機能を有し、また、第２の
表示部１３に撮影可能範囲５１を表示する機能を有するようにした。これにより、これま
であまり活用されていなかった第２の表示部１３を更に有効に利用することができる効果
がある。
【００５１】
また、カメラ３７の撮像レンズの表面を形成する面Ｂとハーフミラー表示装置３５の表
面を形成する面Ｃとが平行になるように構成した。つまり、ハーフミラー表示装置３５の
表面を形成するハーフミラー層３３をカメラ３７の光軸Ａに指向するように配置したため
、第２の表示部１３の形成領域内に写った姿と略同一の写真を撮ることができるようにし
た。したがって、自分撮りを容易に行うことができる。
【００５２】
また、第２の表示部１３に白黒ＬＣＤを採用したため、安価な構成で自分撮りを容易に
行うことができる。
【００５３】
更に、第２の表示部１３に撮影可能範囲５１を表示することで、使用者が他人、特に子
供を撮影する際に、子供の注意を引き、カメラ３７の方向を向きやすくすることができる
といった効果も期待できる。このとき、撮影可能範囲５１は、点滅表示させるなどして、
より注意を引きやすくするように構成してもよい。
【００５４】
そして、カメラ３７を第１の筐体２から突設した台座３９上に設置したことで、例えば
使用者が風景や他人を撮影する際には、カメラ３７は使用者から視認できない反対側に位
置することになるが、台座３９によりカメラ３７の位置が容易に触手で認識でき、使用者
の指により、誤ってカメラ３７の撮像レンズを塞いでしまうということがなくなる効果が
ある。また、このように構成することで、通話中などカメラ未使用時にもカメラ３７の位
置を容易に認識することができるため、撮像レンズを指などで汚してしまう虞が少なくな
る効果もある。
【００５５】
次に、図８は図５と図７の変形例を示す概略断面図である。図８は図５の第１の筐体と図７の第１の筐体のみを表している。第１の筐体２に開口部６６を設けた場合、前記カメラ３７を搭載した可動台座３９ａを通常撮影時には格納し、自分撮り撮影時にはカメラ３７を搭載した可動台座３９ａを突出させる。図８の（ａ）において、可動台座３９ａは第１の筐体２の上端部近傍に配設した第２のヒンジ部（第2の連結部）により連結されている。また、第１の筐体２の内部に設けた第１のバネ弾性部材６１により可動台座３９ａは第１の筐体２の外側への付勢力を受けている。第１のバネ弾性部材６１の一端は第１の筐体２の内面２ｃに係止され、他端は可動台座３９ａの底面６７に係止されている。このとき、楔型スイッチ６３により可動台座３９ａの下端部６８が係止されているので、可動台座３９aは第１の筐体２の内部に格納された状態（第２の状態）となる。
【００５６】
次に、図８（ｂ）を参照すると、楔型スイッチ６３を第１の筐体２の下端方向へ移動させると、可動台座３９ａと係合していた楔型スイッチがはずれ、可動台座３９ａは第１のバネ弾性部材６１の付勢力により、第１の筐体２の外部に突出する。楔型スイッチ６３は第２のバネ弾性部材６４の一端が係止されており、更に、第２のバネ弾性部材６４の他端は第１の筐体２の外面２ｅの内側に突出した係止部６５に係止されている。上記状態において、第２のバネ弾性部材の伸張する力により、可動台座３９ａと楔型スイッチ６３とは、相互突き当て状態となる。突出した可動台座３９ａを収納するときは、可動台座３９ａを押下すると、可動台座３９ａと楔型スイッチ６３が係合し、再び格納状態（第２の状態）となる。
【００５７】
また、第２の弾性部材は、第１の筐体２の操作部側へと傾かないように支持体（図示せず）により保持されている。撮影可能範囲５１の表示については、可動台座３９ａが突出した時に所定の範囲に表示され、可動台座３９ａが格納されているときには、所定の範囲からずれた範囲に表示される。可動台座３９ａの突出状態（第１の状態）または格納状態（第２の状態）を電気的に検知して、第１の表示部および／または第２の表示部に文字や記号を用いて表示しても良い。
【００５８】
尚、本発明は上述した実施形態に限られるものではなく、以下の態様を採用してもよい
。
【００５９】
本実施形態では、第２の表示部に白色光を発する白黒ＬＣＤを用いた場合の説明をした
が、カラーＬＣＤや有機ＥＬなど表示機能を満たすものを採用してもよい。
【００６０】
また、本実施形態では、ハーフミラー層はスモーク材の上端面に配置されるとしたが、
機能を満たせば、第２の表示部の表示面に対向するスモーク材の下端面に配置しても構わ
ない。なお、印刷層が形成されている部分については、ハーフミラー層をスモーク材と印
刷層との間に配置しておく。
【００６１】
また、本実施形態では、撮影可能範囲を矩形状に表示する説明をしたが、例えば円形状
に写真撮影可能な機能を有している場合には、それに合わせた円形状に撮影可能範囲を表
示するようにしてもよい。
【００６２】
更に、本実施形態では携帯電話機に適用した場合の説明をしたが、これに限らずＰＤＡ
やモバイルパソコンなどカメラと表示装置を有する携帯電子機器に採用してもよい。
【図面の簡単な説明】
【００６３】
【図１】本発明の実施形態における携帯電話機の第１、第２の筐体を相互に開いた状態を示す概略斜視図である。
【図２】図１の携帯電話機において、外面側から見た概略斜視図である。
【図３】図１の携帯電話機において、第２の筐体をフロントケース、リアケースに分解すると共に窓部材をリアケースから取り外した状態を示す分解斜視図である。
【図４】図１の携帯電話機において、リアケース、第２の表示部及び窓部材の構成を示す拡大断面図である。
【図５】図１の携帯電話機の概略側面図である。
【図６】図１の携帯電話機において、自分撮りする際のイメージ図である。
【図７】図５の変形例を示す概略側面図である。
【図８】図５と図７の変形例を示す概略断面図であり、（ａ）は可動台座を格納した場合、（ｂ）は可動台座を突出させた場合の第１の筐体の概略図である。
【符号の説明】
【００６４】
１…携帯電話機（携帯電子機器）  
２…第１の筐体  
２ｅ…外面  
３…第２の筐体  
３ｅ…外面  
５…ヒンジ部（連結部）
１１…第１の表示部
１３…第２の表示部
２７…窓部材  
３３…ハーフミラー層  
３５…ハーフミラー表示装置（表示装置）
３７…カメラ
３９…台座  
３９ａ…可動台座
５１…撮影可能範囲
６１…第１のバネ弾性部材
６２…第２のヒンジ部（第２の連結部）
６３…楔型スイッチ
６４…第２のバネ弾性部材
６５…係止部
６６…開口部
６７…可動台座の底面
６８…可動台座の下端部
【図１】
2008086005.tif 000003
【図２】
2008086005.tif 000004
【図３】
2008086005.tif 000005
【図４】
2008086005.tif 000006
【図５】
2008086005.tif 000007
【図６】
2008086005.tif 000008
【図７】
2008086005.tif 000009
【図８】
2008086005.tif 000010